(57)【要約】【課題】組立時の作業効率を低下させたり庇の強度低下を招いたりするおそれのない庇を提供する。【解決手段】庇板１は建物の外壁面に取り付けられた保持具２により保持される。保持具２は、庇板１の後端部を上下より挟んで保持する第１、第２の保持板部２１，２２を有し、第１の保持板部２１の後端部には上方を向く第１の背板部２３、第２の保持板部２２の後端部には下方を向く第２の背板部２４がそれぞれ一体形成されている。第１、第２の各背板部２３，２４の後面を建物の外壁面に突き当て、第１、第２の各背板部２３，２４に形成されたボルト挿通孔２３ａ，２４ａにボルト１１０を通して、第１の保持板部２１の上方位置と第２の保持板部２２の下方位置で前記保持具２が前記ボルト１１０により建物の外壁面に固定される。【選択図】図６
2015042842.tif 000002
【特許請求の範囲】
【請求項１】
庇板が建物より前方へ張り出すように庇板の後端部が建物の外壁面に取り付けられた保持具により保持されて成る庇において、前記保持具は、庇板の後端部を上下より挟んで保持する第１、第２の保持板部を有し、第１の保持板部の後端部には上方を向く第１の背板部、第２の保持板部の後端部には下方を向く第２の背板部がそれぞれ一体形成されており、第１、第２の各背板部の後面を建物の外壁面に突き当て、第１、第２の各背板部に形成されたボルト挿通孔にボルトを通して、第１の保持板部の上方位置と第２の保持板部の下方位置で前記保持具が前記ボルトにより建物の外壁面に固定されて成る庇。
【請求項２】
請求項１に記載された庇であって、第１の背板部と第２の背板部との一方に底板部が一体形成され、前記底板部の先端部と他方の背板部との間には互いに係合する係合部分が形成されている庇。
【請求項３】
請求項１に記載された庇であって、第１、第２の各背板部に第１，第２の各底板部が一体形成され、第１の底板部の先端部と第２の底板部の先端部との間には互いに係合する係合部分が形成されている庇。
【発明の詳細な説明】
【技術分野】
【０００１】
この発明は、建物の外壁面より庇板が前方へ張り出すように設けられる庇に関する。
【背景技術】
【０００２】
従来、その種の庇として、建物の外壁面に取り付けられた保持具により庇板の後端部が全幅にわたって保持された構造のものがある。庇板として、従来は、全体が一枚構成の庇板が用いられてきたが、先般、図７に示すような、複数の板材を幅方向に連結して構成された庇板１が提案された（例えば特許文献１参照）。
【０００３】
図示の庇板１は、図７および図８に示すように、側端面を互いに付き合わせるようにして幅方向に連結される複数の中間板材１１と、両側位置の中間板材１１の外側端面にそれぞれ装着される側板材１２，１２とで構成されており、各中間板材１１は両側端面が、各側板材１２は内側端面が、それぞれ他の板材と係合させて連結することが可能な構造となっている。
図８において、１３，１４は各中間板材１１の両側端面にそれぞれ形成されている係合片であり、このような係合片１３、１４のいずれかが側板材１２の内側端面にも形成されている。また、１６は各中間板材１１の内部に補強のために一体形成されているリブであり、１７は各中間板材１１の内部に補強のために挿入されている鉄板製の補強板である。
【０００４】
上記した構成の庇板１は、図７および図９に示すように、その後端部が保持具９により全幅にわたって保持されている。保持具９は、建物の外壁面１０にボルト１１０によって固定される背板部９１と、背板部９１の前面に一体形成された第１、第２の保持板部９２，９３とを有しており、第１の保持板部９２と第２の保持板部９３との間の保持溝９４内に庇板１の後端部が挿入されている。庇板１の後端面は背板部９１の前面に突き当たり、この状態で庇板１の後端部がボルト１００およびナット１０１により第１の保持板部９２と第２の保持板部９３との間で締め付け固定されている。
【０００５】
保持具９の背板部９１には、保持溝９４内の位置に、ボルト挿通孔９５が庇の幅方向に沿って一定間隔毎に形成されている。各ボルト挿通孔９５にはボルト１１０がそれぞれ挿入され、これにより保持具９が建物の外壁面１０に取付け固定される。
【先行技術文献】
【特許文献】
【０００６】
【特許文献１】特許第４１９２１９９号公報
【発明の概要】
【発明が解決しようとする課題】
【０００７】
上記した構成の庇では、ボルト１１０の頭部１１０ａは庇板１の内部の中空部分に位置させるが、組立誤差などに起因して保持具９に対して庇板１が位置ずれすると、ボルト１１０の頭部１１０ａに庇板１の係合片１３〜１５やリブ１６などが接触し、庇板１の後端面を背板部９１の前面に突き当てることが困難となる。このため、係合片１３〜１５やリブ１６の後端部をボルト１１０の頭部１１０ａの厚さ分だけ削り取るなど必要が生じ、組立時の作業効率を大幅に低下させるおそれがある。
【０００８】
組立時の作業効率の低下を防止するために、図１０に示すように、庇板１の後端面１ｂを保持具９の背板部９１の手前に位置決めすることで、ボルト１１０の頭部１１０ａと庇板１のリブなどとが接触しないようにした構造のものもあるが、このような構造では、庇板１の後端面１ｂと保持具９の背板部９１との間に隙間が生じる分だけ保持板部９７が庇板１の後端部を保持する長さが短くなり、庇の強度低下を招く要因となる。
【０００９】
この発明は、上記した問題に着目してなされたもので、第１の保持板部の上方位置と第２の保持板部の下方位置で保持具を建物の外壁面にボルトにより固定することにより、第１の保持板部と第２の保持板部との間に庇板の後端部を終端位置まで挿入することができるようにし、組立時の作業効率を低下させたり庇の強度低下を招いたりするおそれのない庇を提供することを目的とする。
【課題を解決するための手段】
【００１０】
この発明による庇は、庇板が建物より前方へ張り出すように庇板の後端部が建物の外壁面に取り付けられた保持具により保持されて成るものである。前記保持具は、庇板の後端部を上下より挟んで保持する第１、第２の保持板部を有し、第１の保持板部の後端部には上方を向く第１の背板部、第２の保持板部の後端部には下方を向く第２の背板部がそれぞれ一体形成されている。第１、第２の各背板部の後面を建物の外壁面に突き当て、第１、第２の各背板部に形成されたボルト挿通孔にボルトを通して、第１の保持板部の上方位置と第２の保持板部の下方位置で前記保持具が前記ボルトにより建物の外壁面に固定されている。
【００１１】
この発明による庇では、保持具を建物の外壁面に固定するためのボルトは第１の保持板部と第２の保持板部との間に存在せず、第１の保持板部の上方位置と第２の保持板部の下方位置とにそれぞれ設けられるので、ボルトの頭部に庇板に設けられたリブなどが接触したり突き当たったりすることがない。また、第１の保持板部と第２の保持板部との間の終端位置まで庇板の後端部が挿入することができるので、第１、第２の各保持板部が庇板の後端部を保持する長さが長くなり、庇板の後端部はしっかりと保持される。
【００１２】
なお、保持具は第１の背板部と第２の背板部とが完全に分離した態様のものであってもよく、互いに係合させて連結させる態様のものであってもよい。
後者のひとつの態様は、第１の背板部と第２の背板部との一方に底板部が一体形成されたものであり、前記底板部の先端部と他方の背板部との間には互いに係合する係合部分が形成されている。
【００１３】
後者の他のひとつの態様は、第１、第２の各背板部に第１、第２の各底板部が一体形成されたものであり、第１の底板部の先端部と第２の底板部の先端部との間には互いに係合する係合部分が形成されている。
【発明の効果】
【００１４】
この発明によると、第１の保持板部の上方位置および第２の保持板部の下方位置で保持具を建物の外壁面にボルトにより固定したから、前記ボルトの頭部に庇板に設けられたリブなどが接触したり突き当たったりすることがなく、リブなどの一部を削り取るなどの作業を回避でき、組立時の作業効率を低下させることがない。また、第１の保持板部と第２の保持板部との間の終端位置まで庇板の後端部が挿入されると、第１、第２の各保持板部が庇板の後端部を保持する長さが長くなり、庇板の後端部はしっかりと保持され、庇の強度低下を招くおそれもない。
【図面の簡単な説明】
【００１５】
【図１】庇の外観を示す側面図である。
【図２】保持具の構造を拡大して示す断面図である。
【図３】図２の保持具を上下反転して使用する状態を示す断面図である。
【図４】保持具の実施例を示す断面図である。
【図５】保持具の他の実施例を示す断面図である。
【図６】保持具の他の実施例を示す断面図である。
【図７】従来の庇の外観を示す斜視図である。
【図８】図７のＡ−Ａ線に沿う断面図である。
【図９】図７の従来例の保持具の構造を示す断面図である。
【図１０】保持具の他の例を示す断面図である。
【発明を実施するための形態】
【００１６】
図１は、庇の外観を示している。
この庇は、庇板１が建物の外壁面１０から張り出すように設けられるもので、庇板１と、建物の外壁面１０に固着され庇板１の後端部を全幅にわたって保持する保持具２と、庇板１の前端縁に全幅にわたって装着される前縁板３とで構成されている。庇板１、保持具２、および前縁板３を構成する各部材にはアルミニウムの押出型材が用いられている。なお、図中、４は保持具２の両端の開放部分を塞ぐ端板である。
【００１７】
図示例の庇は、庇板１が前側へ低く傾いた前下がり状態で保持具２により庇板１の後端部が保持されているが、図中、一点鎖線で示すように、庇板１が後側へ低く傾いた後下がり状態で保持具２により庇板１の後端部を保持することも可能である。この実施例の保持具２は、庇板１を前下がり状態、後下がり状態のいずれにも設定可能な構造となっている。なお、張出し量や幅が大きな庇については、必要に応じて、庇板１の少なくとも１箇所、望ましくは２箇所以上をアームで支持するようにしてもよい。
【００１８】
庇板１として、全体が一枚構成のもの、複数の板材を幅方向に連結して構成されたものなどを使用できるが、この実施例の庇板１は、図８に示した構造のものであり、側端面を互いに付き合わせるようにして幅方向に連結される複数の中間板材１１と、両側位置の中間板材１１の外側端面にそれぞれ装着される側板材１２，１２とで構成されている。各中間板材１１の両側端面には係合片１３，１４が、側板材１２の内側端面には係合片１３、１４のいずれかが、それぞれ形成されている。各中間板材１１の内部には補強のためのリブ１６が一体形成されている。
【００１９】
前記保持具２は、庇板１の全幅とほぼ一致する長さのものであり、図２に示すように、庇板１の後端部を上下より挟んで保持する第１、第２の各保持板部２１，２２を備えている。第１の保持板部２１と第２の保持板部２２とは互いに平行であって上下に対向し、第１の保持板部２１と第２の保持板部２２との間は庇板１の基端部が挿入される保持溝２０を構成している。保持溝２０の溝幅は庇板１の厚みとほぼ一致させてある。
【００２０】
第１の保持板部２１の後端部には上方を向く第１の背板部２３が、第２の保持板部２２の後端部には下方を向く第２の背板部２４が、それぞれ一体形成されている。第１の背板部２３は第１の保持板部２１に対して９０度よりやや大きな角度をなして上方へ延びている。第２の背板部２４は第２の保持板部２２に対して９０度よりやや小さな角度をなして下方へ延びている。第１の背板部２３の後面および第２の背板部２４の後面は平坦面であって同一面上に揃い、建物の外壁面１０に当接させて固定するための突き当て面２５となっている。第１、第２の各保持板部２１，２２の内面は、前記突き当て面２５と直角をなす仮想の水平面ｈよりやや下方を向いており、庇板１の後端部が第１の保持板部２１と第２の保持板部２２との間に挿入されて保持されたとき庇板１は前側へ低く傾いた前下がり状態となる。
【００２１】
第１の背板部２３と第２の背板部２４との間には底板部２６が一体形成され、この底板部２６を介して第１、第２の各背板部２３，２４が連続している。底板部２６の前面部分２６ａは第１、第２の各保持板部２１，２２の内面と直角をなしており、第１の保持板部２１と第２の保持板部２２との間に庇板１の後端部が挿入されたとき、庇板１の後端面が底板部２６の前面部分２６ａに面接触状態で突き当たる。
【００２２】
第１の背板部２３および第２の背板部２４は、保持具２の中心線に対して対称をなすように形成されており、第１の背板部２３の上端および第２の背板部２４の下端には、先端部が鉤状に曲がった同形状のカバー止め片２７，２８が一体形成されている。各カバー止め片２７，２８には上カバー５および下カバー６の一端に形成された係止片５１，６１がそれぞれ係止される。上カバー５および下カバー６の他端には掛止片５２，６２が形成されており、各掛止片５２，６２が第１、第２の各保持板部２１，２２の前端面に形成された段部２１ｂ，２２ｂに掛け止められる。上下の各カバー５，６によって保持具２による庇板１の保持部分の全体が覆われて外観が整えれている。
【００２３】
第１の背板部２３および第２の背板部２４には、建物の外壁面１０に保持具２を固定するためのボルト１１０を通すボルト挿通孔２３ａ，２４ａが、また、第１、第２の各保持板部２１，２２の同じ位置には、庇板１の後端部を締め付け固定するためのボルト１００を通すボルト挿通孔２１ａ、２２ａが、それぞれ所定の間隔毎に庇の全幅にわたって形成されている。
庇板１の後端部は、第１の保持板部２１と第２の保持板部２２との間の保持溝２０内に、後端面が底板部２６の前面に突き当たるまで挿入されるもので、その状態で第１、第２の各保持板部２１，２２に形成されたボルト挿通孔２１ａ，２２ａと庇板１の基端部に形成されたボルト挿通孔１ａとにボルト１００を通してナット１０１で締め付けることにより庇板１が第１の保持板部２１と第２の保持板部２２との間に前下がり状態で締め付け固定される。
【００２４】
この保持具２は、図３に示すように、上下反転させた状態で建物の外壁面１０に固定して用いることができるもので、第１、第２の各保持板部２１，２２の内面は前記の突き当て面２５と直角をなす仮想の水平面ｈよりやや上方を向いており、庇板１の後端部が第１の保持板部２１と第２の保持板部２２との間に保持された状態のとき庇板１は後側へ傾いた後下がり状態となる。なお、図３に示していないが、庇板１を後下がり状態に設定する場合は、雨水が庇板１の上面と上カバー５との間の隙間や庇板１の下面と下カバー６との間の隙間から各カバー５，６内に侵入しないようにシール構造を付加するのが望ましい。
【００２５】
上記した保持具２は、第１の背板部２３と第２の背板部２４とが底板部２６を介して一体化された構成のものであるところ、この発明に係る庇の保持具２は、図６に示す実施例のように、第１の保持板部２１および第１の背板部２３と第２の保持板部２２および第２の背板部２４とが完全に分離した態様のものや、また、図４に示す実施例や図５に示す実施例のように、第１の保持板部２１および第１の背板部２３と第２の保持板部２２および第２の背板部２４とを互いに係合させて連結させる態様のものである。
【００２６】
図４に示す実施例では、第２の背板部２４に、第１の保持板部２１と第２の保持板部２２との間に挿入された庇板１の後端部が突き当たる底板部２６が、その前面が第１、第２の各保持板部２１，２２の内面と直角をなすように一体形成されている。第１、第２の各保持板部２１，２２の内面は前記突き当て面２５と直角をなす仮想の水平面ｈよりやや下方を向いており、庇板１の後端部が第１の保持板部２１と第２の保持板部２２との間に保持され、庇板１の後端面が底板部２６の前面に当接した状態のとき、庇板１は前側へ低く傾いた前下がりの状態となる。前記底板部２６の先端部と第１の背板部２３の下端部との間には、互いに係合して位置決めされる係合凸部２９ａおよび係合凹部２９ｂがそれぞれ形成されている。なお、底板部２６は、第２の背板部２４に代えて第１の背板部２３の側に形成することもできる。
【００２７】
図５に示す実施例では、第１、第２の各背板部２３，２４に、第１の保持板部２１と第２の保持板部２２との間に挿入された庇板１の後端部が突き当たる第１、第２の各底板部２６Ａ，２６Ｂが、それぞれの前面が第１、第２の各保持板部２１，２２の内面と直角をなすように一体形成されている。第１、第２の各保持板部２１，２２の内面は前記突き当て面２５と直角をなす仮想の水平面ｈよりやや下方を向いており、庇板１の後端部が第１の保持板部２１と第２の保持板部２２との間に保持され、庇板１の後端面が第１、第２の両底板部２６Ａ，２６Ｂの前面に当接した状態のとき、庇板１は前側へ低く傾いた前下がりの状態となる。第１、第２の各底板部２６Ａ，２６Ｂの先端部には、互いに係合して位置決めされる係合凸部２９ａおよび係合凹部２９ｂがそれぞれ形成されている。
【００２８】
図６に示す実施例では、第１、第２の各背板部２３，２４には上記した各実施例のような底板部２６，２６Ａ，２６Ｂは設けられておらず、第１の保持板部２１および第１の背板部２３と第２の保持板部２２および第２の背板部２４とは互いに分離し独立している。第１、第２の各保持板部２１，２２の内面は前記突き当て面２５と直角をなす仮想の水平面ｈよりやや下方を向いており、庇板１の後端部が第１の保持板部２１と第２の保持板部２２との間に保持され、庇板１の後端面の下部が建物の外壁面１０に突き当たった状態のとき、庇板１は前側へ低く傾いた前下がりの状態となる。
なお、図４〜図６に示した各実施例において、その他の構成は図２に示した実施例と同様であり、ここでは対応する構成に同一の符号を付することで説明を省略する。
また、上記の各実施例においては、保持具２は庇板３の全幅に対応する長さを有するものであるが、そのような一連一体のものに限らず、複数個のピースに分割された形態のものであってもよい。
【００２９】
上記した各実施例の庇においては、保持具２を建物の外壁面１０に固定するためのボルト１１０は第１の保持板部２１と第２の保持板部２２との間に存在せず、第１の保持板部２１の上方の第１の背板部２３と第２の保持板部２２の下方の第２の背板部２４とにそれぞれ設けられるので、第１の保持板部２１と第２の保持板部２２との間の終端位置、すなわち、図４の実施例では底板部２６の前面位置、図５の実施例では第１、第２の両底板部２６Ａ，２６Ｂの前面位置、図６の実施例では建物の外壁面１０の位置まで庇板１の後端部が挿入される結果、ボルト１１０の頭部１１０ａに庇板１に設けられたリブなどが接触したり突き当たったりすることがない。また、第１の保持板部２１と第２の保持板部２２との間の終端位置まで庇板１の後端部が挿入されるので、第１、第２の各保持板部２１，２２が庇板１の後端部を保持する長さが長くなり、庇板１の後端部はしっかりと保持される。
【符号の説明】
【００３０】
１    庇板
２    保持具
２１  第１の保持板部
２２  第２の保持板部
２１ａ，２２ａ  ボルト挿通孔
２３  第１の背板部
２４  第２の背板部
２３ａ，２４ａ  ボルト挿通孔
２６  底板部
２６Ａ  第１の底板部
２６Ｂ  第２の底板部
１００，１１０  ボルト
【図１】
2015042842.tif 000003
【図２】
2015042842.tif 000004
【図３】
2015042842.tif 000005
【図４】
2015042842.tif 000006
【図５】
2015042842.tif 000007
【図６】
2015042842.tif 000008
【図７】
2015042842.tif 000009
【図８】
2015042842.tif 000010
【図９】
2015042842.tif 000011
【図１０】
2015042842.tif 000012